(57)【要約】  【課題】  走行中に、使用者の趣味嗜好にあった走行周囲に存在する情報を的確に確認することができる車載情報表示装置および車載情報表示方法を提供する。  【解決手段】  通信部１２を使用し、ラベルをラベル位置・情報取得部１３に格納し、他車位置情報を他車位置・情報取得部１４に格納する。そして、自車位置検出部１１で検出された自車位置とラベル位置・情報取得部１３に格納されたラベルの位置との関係により、ある一定範囲内のタイミングに達すると描画処理部１５では、ラベルと他車の位置を表示するだけではなく、ある一定範囲内のタイミングに達したラベルのメッセージ内容を表示部１６に表示できるように描画処理を行う。【選択図】  図１
2005098869.tif 000002
【特許請求の範囲】
【請求項１】
自車位置を検出する自車位置検出部と、位置情報およびメッセージ情報を有するラベルを取得するラベル位置情報取得部と、前記自車位置検出部によって検出された自車位置を描画するとともに、この自車位置と前記ラベル位置情報取得部で取得されたラベルの位置関係により、このラベルの表示内容を変えて描画する描画処理部と、前記描画処理部で処理された描画を表示する表示部とを備えたことを特徴とする車載情報表示装置。
【請求項２】
自車位置を検出する自車位置検出部と、位置情報およびメッセージ情報を有するラベルを取得するラベル位置情報取得部と、他車の位置および情報を取得する他車位置情報取得部と、前記自車位置検出部によって検出された自車位置および前記他車位置情報取得部で取得された他車位置を描画するとともに、この自車位置と前記ラベル位置情報取得部で取得されたラベルの位置情報により、このラベルの表示内容を変えて描画する描画処理部と、前記描画処理部で処理された描画を表示する表示部とを備えたことを特徴とする車載情報表示装置。
【請求項３】
前記描画処理部で描画されるラベルの描画の可否を、このラベルのメッセージ情報の内容により選択的に設定することを特徴とする請求項１または請求項２記載の車載情報表示装置。
【請求項４】
メッセージ情報の内容からラベルの描画の可否を選択的に決定し、自車位置と前記ラベルの位置から前記ラベルのメッセージ情報の内容を描画するタイミングを設定し、自車の走行に対して自車位置と前記ラベルの位置との関係から前記タイミングとなった場合に前記ラベルのメッセージ情報の内容を表示部に表示することを特徴とする車載情報表示方法。
【発明の詳細な説明】
【技術分野】
【０００１】
本発明は、車載ナビゲーション等に使用される自車位置を表示した車載情報表示装置および車載情報表示方法に関するものである。
【背景技術】
【０００２】
従来の車載ナビゲーション等の車載情報表示装置は、図６に示すように道路等の地物と郵便局１、ガソリンスタンド２、レストラン３等の公共施設を自車位置４と共に表示させることにより、運転手が現在位置や誘導経路の把握を容易に行うことができるようにしている（例えば、特許文献１参照）。
【特許文献１】特開２００３−２１４８８０号公報（図１３）
【発明の開示】
【発明が解決しようとする課題】
【０００３】
しかしながら、従来の車載情報表示装置にあっては、地物と公共施設の位置を道路上に表記することを主眼に置いていたため、走行中に周囲に存在する情報を的確に確認することができず、車に乗りながら、使用者の趣味嗜好にあった情報を的確に取得して表示することができなかった。
【０００４】
本発明は、従来の問題を解決するためになされたもので、使用者の趣味嗜好に合わせた情報を走行時に安全に提供することができる優れた車載情報表示装置および車載情報表示方法を提供することを目的とする。
【課題を解決するための手段】
【０００５】
本発明の車載情報表示装置は、自車位置を検出する自車位置検出部と、位置情報およびメッセージ情報を有するラベルを取得するラベル位置情報取得部と、前記自車位置検出部によって検出された自車位置を描画するとともに、この自車位置と前記ラベル位置情報取得部で取得されたラベルの位置関係により、このラベルの表示内容を変えて描画する描画処理部と、前記描画処理部で処理された描画を表示する表示部とを備えた構成を有している。
【０００６】
この構成により、表示部には自車位置に対するラベルの位置が表示されるとともに、自車位置との関係により、このラベルの表示内容を変えることができる。
【０００７】
また、本発明の車載情報表示装置は、自車位置を検出する自車位置検出部と、位置情報およびメッセージ情報を有するラベルを取得するラベル位置情報取得部と、他車の位置および情報を取得する他車位置情報取得部と、前記自車位置検出部によって検出された自車位置および前記他車位置情報取得部で取得された他車位置を描画するとともに、この自車位置と前記ラベル位置情報取得部で取得されたラベルの位置情報により、このラベルの表示内容を変えて描画する描画処理部と、前記描画処理部で処理された描画を表示する表示部とを備えた構成を有している。
【０００８】
この構成により、表示部には自車位置に対するラベルの位置および他車の位置が表示されるとともに、自車位置とラベル位置との関係により、このラベルの表示内容を変えることができる。
【０００９】
さらに、本発明の車載情報表示装置は、前記描画処理部で描画されるラベルの描画の可否を、このラベルのメッセージ情報の内容により選択的に設定する構成を有している。
【００１０】
この構成により、使用者の趣味嗜好に合わせたラベルを描画し表示することができる。
【００１１】
さらに、本発明の車載情報表示方法は、メッセージ情報の内容からラベルの描画の可否を選択的に決定し、自車位置と前記ラベルの位置から前記ラベルのメッセージ情報の内容を描画するタイミングを設定し、自車の走行に対して自車位置と前記ラベルの位置との関係から前記タイミングとなった場合に前記ラベルのメッセージ情報の内容を表示部に表示するようなステップにしている。
【００１２】
このステップにより、使用者の趣味嗜好に合わせたラベルを描画し表示することができる。
【発明の効果】
【００１３】
本発明は、表示部には自車位置に対するラベルの位置が表示されるとともに、自車位置とラベル位置との関係により、このラベルのメッセージ内容を表示することもできるので、使用者の趣味嗜好に合わせた情報を走行時に安全に通知するという効果を有する車載情報表示装置を提供することができるものである。
【発明を実施するための最良の形態】
【００１４】
以下、本発明の一実施の形態の車載情報表示装置および車載情報表示方法について、図面を用いて説明する。
【００１５】
本発明の一実施の形態の車載情報表示装置１０を図１に示す。
【００１６】
図１において、自車の位置を検出する自車位置検出部１１は、ＧＰＳ等の人工衛星による測位システムにより、また自己測位としては、角速度センサー、加速度センサー、車速センサー等により検出することができる。
【００１７】
通信部１２は、車外と送受信するために設置された通信モジュールであり、携帯電話等に使用される公衆通信回線を用いる通信方式を使用するが、路側に設置されたＤＳＲＣ等の狭域通信方式、またはＦＭ放送、ＡＭ放送やＴＶ放送に多重された情報により情報を取得する通信方式を用いることができる。
【００１８】
通信部１２によって取得された情報として、ラベルと他車情報があり、それぞれラベル位置・情報取得部１３および他車位置・情報取得部１４にそれぞれの位置情報と内容が記憶される。
【００１９】
ラベルとは、位置情報と共にメッセージを書き込みしたメモであり、一般的には書き込む者の趣味嗜好をメッセージとして残すものである。例えば、スケートボードが好きな者がスケートボード愛好者に対して参加を呼びかけるときに、「スケーター集まれ！（今度の）休日３時には滑っています」とメッセージを街角に残すことで、位置情報とメッセージを同時に残すことができるものである。
【００２０】
こうしたラベルは、趣味嗜好を残すものであるから、投書的なイメージであるが、さらに不特定多数に通知する目的から一般的な広告としても利用でき、例えば街角のレストランの季節限定メニューを通知したり、死亡事故の多い場所に走行注意を通知するのに使用しても良い。
【００２１】
つまり「○×レストランのとんかつは、とってもおいしいよ！」、「□△デパートで夏物バーゲン、やっています！」、「現在、◎□通りは、盆踊り大会開催中です。見物客に十分注意！」等といったメッセージを残すこともできる。
【００２２】
こうしたラベルおよび他車の情報は、図示されていないが、ラベル取得の内容を選択することが使用者によってできる。以上により取得したラベルおよび他車の情報は、自車位置検出部１１により得られた自車位置と共に描画処理部１５により描画処理が行われる。
【００２３】
描画処理部１５では、ラベルおよび他車の位置情報が使用され、自車位置との関係から描画処理を行う。自車位置を画面下中央部に配置し、自車進行方向前方を鳥海図としてラベルと他車の位置を配置する。
【００２４】
この際、道路形状を描画しても良いが、特定する他車とラベルを認識しやすくするためには不要な道路、建物、交差点名等を削除することが好ましい。また、ラベルは、自車位置に近接すると、ラベルに登録された情報をラベル位置・情報取得部１３より読み出し、メッセージとして表示するよう描画処理を行う。
【００２５】
つまり、ラベルについては、自車位置との位置関係から、相対位置を表示させる簡易描画と、メッセージ内容を同時に表示する詳細描画とに分けられる。こうした描画処理部１５で作成された描画は表示部１６で表示される。
【００２６】
また、描画処理部１５では、簡易描画から詳細描画に変わる変化位置を自車位置と同時に描画することで、ラベルの情報変化を判りやすくしている。また、ラベルの描画処理において、簡易描画とするか詳細描画とするかの判定となる自車位置とラベル位置の位置関係は、距離によって決定されるのが一般的であるが、自車速度を計測し自車がラベルに到達する時間を計算し時間によって決定しても良い。
【００２７】
次に、本発明の一実施の形態の車載情報表示方法を図２に示す。
【００２８】
図２において、初期設定として、ラベル・他車抽出設定Ｓ１と情報取得タイミング設定Ｓ２が行われる。つまり、ラベル・他車抽出設定Ｓ１では、ラベル位置・情報取得部１３と他車位置・情報取得部１４で取得される情報を使用者の趣味嗜好に合わせて設定するものであり、例えば、ラベル抽出設定としては「スケートボード」、「バーゲン」、「お祭り」といった使用者が特に興味のある事項を自由に選択し登録するものである。
【００２９】
また、他車抽出設定としては緊急車両（救急車、消防車、赤色灯を点灯させたパトカー、等）、トレーラー、バス、○○さんの車、□□君の車といった使用者にとって注目している車両や車種を設定するものである。こうした情報を取得するため、各車の位置を自ら発信しなければならないが、これは自車位置検出部１１による自車位置を通信部１２を利用して外部に発信することで、容易に実現できるものとなる。
【００３０】
また、情報取得タイミング設定Ｓ２は、ラベルの表示を簡易描画とするか詳細描画とするかのタイミングを設定するものであり、例えば、自車位置に対してラベルの位置が５００ｍ手前となった場合に簡易描画から詳細描画に切り替えたい場合、設定を「５００ｍ」と設定するものである。
【００３１】
また、自車がラベルまで到達する時間を「５秒」と設定すれば、自車の現在速度と自車からラベルまでの距離により、到達時間を計算することでタイミング設定として設定することができるものである。以上が初期設定であり、走行途中でこうした設定をすることも可能であるが一般的には、走行前に済ますことが望ましい。
【００３２】
次いで、走行を開始すると、通信部１２は自車位置に対して表示部に表示する必要がある領域のラベルおよび他車を取得すべく通信を開始する（ラベル、他車位置／情報取得Ｓ３）。
【００３３】
このとき、初期設定にて設定されたラベル・他車抽出設定Ｓ１により、使用者の趣味嗜好のみを取得しても良いが、各取得部の情報取得容量が十分にあるものであれば、全データを取得し格納するものであっても良い。
【００３４】
次いで、こうして取得された情報と自車位置との関係から、初期設定で設定された情報取得タイミングにラベルがあるか否かを判定し（Ｓ４）、ラベルが無い場合は、自車位置に対応した他車およびラベルの位置を簡易描画により、表示させる（Ｓ５、図３）。
【００３５】
図３に示している通り、自車位置２１は、画面下方中央部に位置づけられ、この自車位置２１を同心円で描くがごとく情報取得タイミングエリア２２が描画され、自車位置２１を示すマークは大きな楕円形をしてあり、他車２３を示すマークは小さな楕円形、ラベル２４を示すマークは★印としている。
【００３６】
他車２３およびラベル２４は自車位置２１に対して鳥海図上に配置されるものであり、自車位置２１に対する相対位置によって大きさが決まるものであり、自車に迫るラベル２４や他車２３は逐次その大きさを増すことになる。この状態を図４に示す。図４では、自車に迫るラベル２４Ａや他車２３Ａがその大きさを増す状態を示している。
【００３７】
また、取得された情報と自車位置との関係から、初期設定で設定された情報取得タイミングにラベルがあるか否かを判定し（Ｓ４）、ラベルが有る場合は、自車位置の近傍に位置するラベルと共に、そのラベルの情報を詳細描画として表示部１６に表示する。この状態を図５に示す。
【００３８】
図５では、初期設定で設定された情報取得タイミングにラベル２４Ａがある場合に、そのラベル２４Ａの「スケーター集まれ！（今度の）休日３時には滑っています」という情報を詳細描画として表示部１６に表示している。
【００３９】
そして、この表示されたラベルの詳細描画以外の画面には、他車と他のラベルの簡易描画を表示させる。詳細描画が表示される時間は、使用者が十分、認識し内容を理解する程度の時間が必要と考えられる。よって、通常は、１５秒程度であり、こうした詳細描画表示時間は任意に設定することができる。
【００４０】
以上によれば、使用者の趣味嗜好に合わせた情報であるラベルや他車の情報を走行時に安全に提供することができ、ラベルについては、その具体的な内容を表示することができるものである。
【００４１】
なお、本発明の一実施の形態では、自車で取得したラベル位置およびその情報を自車の表示部で表示するようにしているが、自車の通信部を介して特定の他車に以上のラベル位置およびその情報を伝達し、他車の表示部により、そのラベルを表示させるようにしても良い。
【産業上の利用可能性】
【００４２】
以上のように、本発明にかかる車載情報表示装置は、使用者の趣味嗜好に合わせた情報を走行時に安全に通知するという効果を有し、車載ナビゲーション等に使用される自車位置を表示する機器等として有用である。
【図面の簡単な説明】
【００４３】
【図１】本発明の一実施の形態における車載情報表示装置のブロック図
【図２】本発明の一実施の形態における車載情報表示方法の動作説明のためのフロー図
【図３】本発明の一実施の形態における車載情報表示方法のうちラベルが情報取得タイミングエリア内にない場合の表示図
【図４】本発明の一実施の形態における車載情報表示方法のうちラベルが情報取得タイミングエリア内に差し掛かった場合の表示図
【図５】本発明の一実施の形態における車載情報表示方法のうちラベルが情報取得タイミングエリア内にある場合の表示図を表す表示図
【図６】従来の車載情報表示装置の表示図
【符号の説明】
【００４４】
１０  車載情報表示装置
１１  自車位置検出部 
１２  通信部
１３  ラベル位置・情報取得部
１４  他車位置・情報取得部
１５  描画処理部
１６  表示部
【図１】
2005098869.tif 000003
【図２】
2005098869.tif 000004
【図３】
2005098869.tif 000005
【図４】
2005098869.tif 000006
【図５】
2005098869.tif 000007
【図６】
2005098869.tif 000008